(57)【特許請求の範囲】
【請求項１】
透液性トップシートとバックシートとの間に吸収体が介在された吸収性物品において、
前記吸収体は、着用者の排血口部に対応する部分を含む排血口対応領域と、これより後側の着用者の臀部溝に対応する部分を含む臀部溝対応領域と、前記排血口対応領域と臀部溝対応領域との間であって着用者の会陰部に対応する部分を含む会陰部対応領域とを有し、
前記臀部溝対応領域の吸収体厚が前記排血口対応領域の吸収体厚より薄く形成され、且つ前記臀部溝対応領域のみに、非使用面側であって前記吸収性物品の幅方向中央部に、吸収性物品の長手方向に沿って第１圧搾溝が付与され、
前記排血口対応領域から臀部溝対応領域にかけて、前記吸収性物品の肌当接面側から前記吸収性物品の略長手方向に沿って左右一対の第２圧搾溝が形成されるとともに、該第２圧搾溝にはそれぞれ、前記会陰部対応領域において、平面視で前記吸収性物品の長手方向中心線に向けてく字状に突出する会陰部用凸部が形成されていることを特徴とする吸収性物品。
【請求項２】
前記吸収体は、前記排血口対応領域に肌当接面側に隆起する前方中高部を有し、前記臀部溝対応領域には中高部を有さないことにより、前記臀部溝対応領域の吸収体厚が前記排血口対応領域の吸収体厚より薄く形成されている請求項１記載の吸収性物品。
【請求項３】
前記前方中高部は、後端部が前記吸収性物品後方の幅方向中央部に向けて漸次幅狭となる形状で形成されている請求項２記載の吸収性物品。
【発明の詳細な説明】
【技術分野】
【０００１】
本発明は、経血やおりものなどを吸収するための生理用ナプキン、パンティライナー、失禁パッド等の吸収性物品に係り、身体の形状に沿って変形しやすくし、フィット性を向上した吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ、身体の形状に適合させるための手段が種々講じられている。例えば、下記特許文献１では、吸収体として、体液排出部位を含む股間部領域に吸収体厚を周囲より厚く形成した第１中高部を有するとともに、該第１中高部上であって前記体液排出部位より後方の会陰部対応部分に前記第１中高部よりも吸収体厚を厚く形成した第２中高部を有する吸収性物品が開示されている。
【０００４】
また、上記特許文献２では、吸収体として、吸収性物品の前方部及び後方部における肌当接面側に、該吸収体より幅狭で且つ肌当接面側に凸状に突出する前方中高部及び後方中高部を有し、該前方中高部は装着者の体液排泄部に当接される排泄部領域に形成されており、前記前方中高部と前記後方中高部との間に、吸収性物品の幅方向に延び且つ該後方中高部に向かって凸状に形成された中間溝が形成された吸収性物品が開示されている。
【先行技術文献】
【特許文献】
【０００５】
【特許文献１】特開２００８−６２０３号公報
【特許文献２】特開２０１０−１３１２９７号公報
【発明の概要】
【発明が解決しようとする課題】
【０００６】
上記特許文献１、２記載の吸収性物品は、身体の凹形状に応じて吸収体の厚みを厚くすることによって排血口部から会陰部、臀部溝にかけて良好にフィットするようにしたものである。
【０００７】
確かに、排血口部においては吸収体の中高部を形成することによりフィット性が向上できるものの、その後方の会陰部や臀部溝では、凹形状の深さが深すぎて吸収体を中高にしただけでは奥まで入り込ませることが困難であった。奥まで入り込ませるため中高部を高くすることも考えられるが、身体の凹形状の深さには個人差があるため、人によっては却ってフィット性を損ねる場合もある。このため、会陰部や臀部溝に良好にフィットさせるには、身体の形状に沿って吸収体が変形するような構造とすることが好ましいが、上記特許文献１、２記載の吸収性物品では、これらの部分に吸収体の中高部を形成してあるため、吸収体の変形が生じ難くなっていた。
【０００８】
そこで本発明の主たる課題は、吸収体が身体の形状に沿って変形しやすく、フィット性を向上させた吸収性物品を提供することにある。
【課題を解決するための手段】
【０００９】
上記課題を解決するために請求項１に係る本発明として、透液性トップシートとバックシートとの間に吸収体が介在された吸収性物品において、
前記吸収体は、着用者の排血口部に対応する部分を含む排血口対応領域と、これより後側の着用者の臀部溝に対応する部分を含む臀部溝対応領域と、前記排血口対応領域と臀部溝対応領域との間であって着用者の会陰部に対応する部分を含む会陰部対応領域とを有し、
前記臀部溝対応領域の吸収体厚が前記排血口対応領域の吸収体厚より薄く形成され、且つ前記臀部溝対応領域のみに、非使用面側であって前記吸収性物品の幅方向中央部に、吸収性物品の長手方向に沿って第１圧搾溝が付与され、
前記排血口対応領域から臀部溝対応領域にかけて、前記吸収性物品の肌当接面側から前記吸収性物品の略長手方向に沿って左右一対の第２圧搾溝が形成されるとともに、該第２圧搾溝にはそれぞれ、前記会陰部対応領域において、平面視で前記吸収性物品の長手方向中心線に向けてく字状に突出する会陰部用凸部が形成されていることを特徴とする吸収性物品が提供される。
【００１０】
上記請求項１記載の発明では、吸収体として、着用者の臀部溝に対応する部分を含む臀部溝対応領域の吸収体厚を着用者の排血口部に対応する部分を含む排血口対応領域の吸収体厚より相対的に薄く形成し、且つ前記臀部溝対応領域のみに、非使用面側であって前記吸収性物品の幅方向中央部に、吸収性物品の長手方向に沿って第１圧搾溝を付与したものを用いることにより、特に臀部溝対応領域において、前記第１圧搾溝を可撓軸として吸収体の幅方向中央部が使用面側に隆起するように折れ曲がるため、着用者の臀部溝に沿って変形しやすくなり、フィット性が向上する。
【００１１】
また、本発明では、排血口対応領域から臀部溝対応領域にかけて、前記吸収性物品の肌当接面側から前記吸収性物品の略長手方向に沿って左右一対の第２圧搾溝を形成し、この左右一対の第２圧搾溝にそれぞれ、前記会陰部対応領域において、前記吸収性物品の長手方向中心線側に向けてく字状に突出する凸部を形成することにより、装着時に両側からの脚圧がかかったとき、両側の前記凸部間の吸収体を使用面側に隆起させやすくし、会陰部のフィット性を向上するようにしている。
【００１２】
請求項２に係る本発明として、前記吸収体は、前記排血口対応領域に肌当接面側に隆起する前方中高部を有し、前記臀部溝対応領域には中高部を有さないことにより、前記臀部溝対応領域の吸収体厚が前記排血口対応領域の吸収体厚より薄く形成されている請求項１記載の吸収性物品が提供される。
【００１３】
上記請求項２記載の発明は、排血口対応領域に前方中高部を有し、臀部溝対応領域には吸収体の中高部を有さないことにより、臀部溝対応領域の吸収体厚を排血口対応領域の吸収体厚より薄く形成したものである。
【００１４】
請求項３に係る本発明として、前記前方中高部は、後端部が前記吸収性物品後方の幅方向中央部に向けて漸次幅狭となる形状で形成されている請求項２記載の吸収性物品が提供される。
【００１５】
上記請求項３記載の発明では、前方中高部の後端部を、前記吸収性物品後方の幅方向中央部に向けて漸次幅狭となる形状で形成することにより、着用者の会陰部に形成される臀部の谷間の始まり部分を起点として前方の両側に向けて延びる身体のラインに沿って変形しやすくしている。
【発明の効果】
【００１６】
以上詳説のとおり本発明によれば、吸収体が身体の形状に沿って変形しやすく、フィット性を向上させた吸収性物品が提供できるようになる。
【図面の簡単な説明】
【００１７】
【図１】本発明に係る生理用ナプキン１の一部破断展開図である。
【図２】そのII−II線矢視図である。
【図３】図１のIII−III線矢視図である。
【図４】図１のIV−IV線矢視図である。
【図５】使用状態を示す吸収体部分の断面図である。
【発明を実施するための形態】
【００１８】
以下、本発明の実施の形態について図面を参照しながら詳述する。
【００１９】
〔生理用ナプキン１の基本構造〕
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の略側縁部を起立基端とし、かつ少なくとも体液排出部を含むように前後方向に所定の区間内において表面側に突出して設けられた左右一対の立体ギャザーＢＳ、ＢＳを形成するサイド不織布７とから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と前記サイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２０】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００２１】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００２２】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のためにクレープ紙５によって囲繞するのが望ましい。
【００２３】
一方、前記透液性トップシート３の幅寸法は、図示例では、図２〜図４の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２４】
前記サイド不織布７は、図２〜図４に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１２…，１３…を備え、ショーツに対する装着時に、前記ウイング状フラップＷ、Ｗが折返し線ＲＬ位置にて反対側に折り返し、ショーツのクロッチ部分に巻き付けて止着するようになっている。
【００２５】
一方、前記サイド不織布７の内方側部分はほぼ二重に折り返されるとともに、この二重シート内部に、その高さ方向中間部に両端または長手方向の適宜の位置が固定された糸状弾性伸縮部材１４が配設されるとともに、前記糸状弾性伸縮部材１４の上側部位に複数本の糸状弾性伸縮部材１５…が両端または長手方向の適宜の位置が固定された状態で配設されている。この二重シート部分は前後端部では図４に示されるように、断面Ｚ状に折り畳んで積層された状態で吸収体４側に接着されることによって、前記糸状弾性伸縮部材１４配設部位を屈曲点として、断面く字状に内側に開口を向けたポケットＰ、Ｐを形成しながら表面側に起立する立体ギャザーＢＳ、ＢＳが形成されている。
【００２６】
〔吸収体４の構造〕
前記吸収体４は、生理用ナプキン１のほぼ前側から後側にかけて配設される基材用吸収体２０と、少なくとも着用者の排血口部Ｈに対応する部分を含む排血口対応領域２３に配設され、前記基材用吸収体２０より肌当接面側に隆起する前方中高部２１と、必要に応じて生理用ナプキン１の後端部に配設され、前記基材用吸収体２０より肌当接面側に隆起する後方中高部２２とから形成されるものであることが望ましい。前記前方中高部２１は、着用者の排血口部Ｈ及びその周辺を十分に覆う大きさで形成されている。前方中高部２１は、排血口対応領域２３のみに形成されるものであってもよいが、後段で詳述するように後側が会陰部対応領域２４に延在するように形成することが好ましい。前記後方中高部２２は、臀部溝より後方に位置し、万一臀部溝を伝って後側に漏れる体液がある場合にそれを捕捉するためのものである。
【００２７】
前記基材用吸収体２０としては、体液を吸収・保持し得るものであれば良いが、パルプ繊維中に吸水性ポリマー粉末を混入したものが吸収機能及び価格の点から好適に使用される。前記基材用吸収体２０の製造方法は、エアスルー吸収体、エアレイド吸収体とすることができる。また、トウ繊維（繊維束）や積繊パルプに化学繊維を混合したものであってもよい。前記トウ繊維としては、例えば、多糖類又はその誘導体（セルロース、セルロースエステル、キチン、キトサンなど）、合成高分子（ポリエチレン、ポリプロピレン、ポリアミド、ポリエステル、ポリラクタアミド、ポリビニルアセテートなど）などを用いることができるが、特に、セルロースエステルおよびセルロースが好ましい。前記化学繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などの合成繊維を使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記パルプ繊維は、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２８】
前記前方中高部２１及び後方中高部２２としては、機能的に透液性トップシート３の上面に排出された体液を速やかに吸収するけれども、吸収した体液を内部に保留せずに基材用吸収体２０に浸透させる機能を備えている必要があるところ、浸透性を向上させるためにパルプ繊維中に化学繊維を混合したもの、エアスルー吸収体やエアレイド吸収体又はトウ繊維からなるものが好適に使用される。前記前方中高部２１及び後方中高部２２に化学繊維を混合することにより体液吸収状態時でも萎むことなく嵩を保持しクッション性を維持できるようになる。前記前方中高部２１及び後方中高部２２には、嵩高となり身体へのフィット性を向上させるため、トウ繊維（繊維束）やポリエチレンテレフタレートやポリブチレンテレフタレート等のポリエステル系繊維を混合することが好ましい。
【００２９】
なお、前記基材用吸収体２０は化学繊維を含有することを要件とせず、パルプ繊維単独、或いはパルプ繊維と高吸水性樹脂との混合体とすることができる。前記基材用吸収体２０は透過性が重視されず、前方中高部２１及び後方中高部２２から浸透した体液を内部に保留し外部に滲み出さないように保持することが望ましいため化学繊維を含有しないようにすることができる。
【００３０】
前記基材用吸収体２０、前方中高部２１及び後方中高部２２は、吸収体を立体的に積繊することによって一体的に形成することが好ましい。また、基材用吸収体２０の上段に前方中高部２１及び後方中高部２２を積繊する二段構造とすることもできる。
【００３１】
前記吸収体４は、前述の通り着用者の排血口部Ｈに対応する部分を含む排血口対応領域２３と、これより後側の着用者の臀部溝に対応する部分を含む臀部溝対応領域２５と、前記排血口対応領域２３と臀部溝対応領域２５との間であって着用者の会陰部に対応する部分を含む会陰部対応領域２４とを有している。
【００３２】
本生理用ナプキン１では、排血口対応領域２３から臀部溝対応領域２５にかけて、生理用ナプキン１の肌当接面側（透液性トップシート３の外面側）から生理用ナプキン１の略長手方向に沿って左右一対の第２圧搾溝２７が形成されていることが好ましい。前記第２圧搾溝２７は、少なくとも長手方向中心線ＣＬの両側に生理用ナプキン１の略長手方向に沿って延びる部分が左右一対で形成されるものであればよく、図示例では、この左右一対の部分の前端部及び後端部がそれぞれ接続され、全体としてナプキン長手方向に細長く、かつ周方向に閉合する形状で形成されている。かかる第２圧搾溝２７は、排血口対応領域２３及び会陰部対応領域２４では前方中高部２１の外側に形成され、臀部溝対応領域２５ではこれより若干細く形成されている。また、排血口部Ｈでは、装着時にその位置を識別しやすくするため、長手方向中心線ＣＬに向けて膨出する曲線部２９、２９が形成されている。
【００３３】
また、前記第２圧搾溝２７より前側に離間して、平面視略Ω形状の前端用第２圧搾溝２７ａが形成されるとともに、前記第２圧搾溝２７より後側に離間して、後方中高部２２を囲うように、平面視略逆Ω形状の後端用第２圧搾溝２７ｂが形成されている。前記前端用第２圧搾溝２７ａ及び後端用第２圧搾溝２７ｂは、それぞれ生理用ナプキン１の表面を前側及び後側に伝う体液を確実に吸収し、体液の伝い漏れを防止するためのものである。
【００３４】
本生理用ナプキン１では、特に臀部溝及び会陰部の身体の形状に沿って吸収体４を変形しやすくするため、以下に示す種々の手段が講じられている。
【００３５】
第１に、吸収体４は、臀部溝対応領域２５の吸収体厚が排血口対応領域２３の吸収体厚より相対的に薄く形成されている。これにより、吸収体４（基材用吸収体２０）の臀部溝対応領域２５が変形性に富み、臀部溝の形状に沿って変形しやすくなる。このように形成するには、排血口対応領域２３に前記前方中高部２１を設ける一方、臀部溝対応領域２５には吸収体の中高部を有さない構造とすることが望ましい。これにより、排血口対応領域２３では基材用吸収体２０及び前方中高部２１を合計した吸収体厚となるのに対し、臀部溝対応領域２５では基材用吸収体２０のみの吸収体厚となり、排血口対応領域２３の吸収体厚より薄く形成される。排血口対応領域２３の吸収体厚と臀部溝対応領域２５の吸収体厚との比は、３：１、好ましくは２．７：１程度とするのがよい。
【００３６】
なお、排血口対応領域２３の吸収体厚とは、前方中高部２１が設けられる場合にはその厚みを含めた吸収体全体の厚みをいう。また、臀部溝対応領域２５の吸収体厚とは、後段で詳述する第１圧搾溝２６及び第２圧搾溝２７による圧搾の影響を受けない部分であって、左右一対の第２圧搾溝２７、２７で挟まれた部分の基材用吸収体２０の厚みをいう。
【００３７】
臀部溝対応領域２５の吸収体厚を排血口対応領域２３の吸収体厚より相対的に薄く形成する他の形態としては、前記前方中高部２１を設けずに、基材用吸収体２０の臀部溝対応領域２５の吸収体厚を排血口対応領域２３の吸収体厚より相対的に薄く形成してもよい。この場合、臀部溝対応領域２５の吸収体厚は、少なくとも前記第２圧搾溝２７、２７で挟まれた部分の吸収体厚が排血口対応領域２３の吸収体厚より薄く形成されるようにする。
【００３８】
第２に、本生理用ナプキン１では、吸収体４の臀部溝対応領域２５の非使用面側であって、生理用ナプキン１の幅方向中央部に長手方向に沿って第１圧搾溝２６が付与されている。上記第１の手段と本第２の手段により、つまり臀部溝対応領域２５の吸収体厚を排血口対応領域２３の吸収体厚より薄くし（第１の手段）、且つ臀部溝対応領域２５の非使用面側に第１圧搾溝２６を付与すること（第２の手段）により、図５に示されるように、臀部溝対応領域２５において、前記第１圧搾溝２６を可撓軸として基材用吸収体２０の幅方向中央部が使用面側に隆起するように折れ曲がり、着用者の臀部溝に沿って良好にフィットするようになる。
【００３９】
前記第１圧搾溝２６は、吸収体４（基材用吸収体２０）の非肌当接面側から、又はクレープ紙５の外面側から付与することが好ましい。第１圧搾溝２６は、所定温度に加熱された圧搾ロールと、圧力を受け止めるアンビルロールとの間を通過させることによって形成したものである。前記圧搾ロールの温度は、５０〜２００℃の範囲とすることが好ましく、吸収体４内に熱融着性繊維を混入しておき、加熱下で圧搾した際、熱によって前記熱融着性繊維の接着を促し、圧搾形状を安定化させることができる。
【００４０】
前記第１圧搾溝２６は、図示例のように直線的な連続線状に形成することが望ましいが、断続的な点線状に形成してもよい。第１圧搾溝２６の溝底部のナプキン長手方向の長さは３０mm〜２００mmの範囲が好ましく、溝幅は２mm〜１０mmであることが好ましい。また、溝の深さは、基材用吸収体２０の可撓性を考慮すると基材用吸収体２０の厚みの２０％〜９５％が好ましく、例えば１mm〜１０mm程度とすることができる。
【００４１】
第３に、前記第２圧搾溝２７には、会陰部対応領域２４において生理用ナプキン１の長手方向中心線ＣＬに向けてく字状に突出する会陰部用凸部２８、２８を形成することが好ましい。前記会陰部用凸部２８、２８を設けることにより、生理用ナプキン１の装着時に脚の内側からの圧縮力により会陰部用凸部２８、２８間の吸収体が肌当接面側に向けて隆起しやすくなり、この隆起した部分が会陰部にフィットするようになる。前記会陰部用凸部２８、２８は、着用者の排血口部Ｈと会陰部との離間距離を考慮して、排血口部Ｈ（ウイング状フラップＷのナプキン長手方向長さのほぼ中央部）から後側に４０mm〜６０mm、好ましくは５０mm程度の位置に形成することが好ましい。
【００４２】
第４に、前記前方中高部２１は、後端部を生理用ナプキン１後方の幅方向中央部に向けて漸次幅狭となる形状で形成することが好ましい。これにより、会陰部に形成される臀部溝の前方の始まり部分を起点として、これより前方の両側に向けて延びる身体のラインに沿って吸収体が変形しやすくなる。
【００４３】
前方中高部２１の後端部の形状は、ナプキン後側に向けて幅狭となるＶ字状や、Ｕ字状、台形状などとすることができる。また、この後端部の外形線に沿って、基材用吸収体２０の使用面側又は非使用面側から凹状の圧搾溝（エンボス）を付与することができる。
【００４４】
また、前方中高部２１は、後側の吸収体厚が、生理用ナプキン１の後側に向けて漸次薄くなるように形成することができる。これにより、会陰部から臀部溝にかけてフィット性に優れるようになる。
【００４５】
ところで、臀部の前後方向の丸みに対するフィット性を確保するため、左右の第２圧搾溝２７、２７の所定の幅方向位置にそれぞれ幅方向の折り基点となる臀部溝用凸部３０、３０を形成してもよい。図示例では、臀部溝用凸部３０は、臀部溝対応領域２５のナプキン長手方向中央部に１箇所づつ形成されているが、複数箇所に形成することができる。また、図示例では、生理用ナプキン１の長手方向中心線ＣＬに向けた突出形状で形成されているが、外側又は両側に向けて突出していてもよい。
【符号の説明】
【００４６】
１…生理用ナプキン、２…不透液性バックシート、３…透液性トップシート、４…吸収体、５…クレープ紙、７…サイド不織布、２０…基材用吸収体、２１…前方中高部、２２…後方中高部、２３…排血口対応領域、２４…会陰部対応領域、２５…臀部溝対応領域、２６…第１圧搾溝、２７…第２圧搾溝、２８…会陰部用凸部
【図１】
0005727246.tif 000002
【図２】
0005727246.tif 000003
【図３】
0005727246.tif 000004
【図４】
0005727246.tif 000005
【図５】
0005727246.tif 000006